(57)【要約】【課題】衛星デジタル放送、および、地上波デジタル放送の受信に対応したデジタル放送受信装置において、３桁入力ボタンを押し、その後、数字ボタンで３桁のサービスＩＤを入力して希望するチャンネルを選局する際に、あらかじめ、衛星デジタル放送と地上波デジタル放送を切り換えておく必要をなくすこと。【解決手段】ユーザが、リモコン１０７を用いて、３桁入力ボタン１０７ｃを押すと、これが入力部１０６によりシステム制御部１０４に伝わり、ユーザが３桁のサービスＩＤを入力する際に、３桁入力処理部１０５によって、リモコン１０７のどちらの数字ボタン群が使用したのかが、システム制御部１０４の制御の下に３桁入力処理部１０５によって判断される。それにより、地上用の数字ボタン群が使用された場合は地上波デジタル放送へ、衛星用の数字ボタン群が使用された場合は衛星デジタル放送へ、自動的に切り換え、選局処理を行う。【選択図】      図２
2004194231.tif 000002
【特許請求の範囲】
【請求項１】
少なくとも衛星デジタル放送と地上波デジタル放送とが受信可能であり、リモコンによる操作が可能なデジタル放送受信装置であって、
前記リモコンには、前記衛星デジタル放送を選局するための第１の数字ボタン群と、前記地上波デジタル放送を選局するための第２の数字ボタン群とが設けられ、
前記第１の数字ボタン群によって３桁のチャンネル番号が入力された場合と、前記第２の数字ボタン群によって３桁のチャンネル番号が入力された場合とに応じて、選局操作の対象となる放送種別を、前記衛星デジタル放送または前記地上波デジタル放送のいずれかに自動的に変更する制御を行う入力処理部を、
具備したことを特徴とするデジタル放送受信装置。
【請求項２】
請求項１記載において、
さらに地上波アナログ放送が受信可能とされ、
前記リモコンには、３桁のチャンネル番号を入力する前に押下する３桁入力ボタンが設けられ、
前記衛星デジタル放送または前記地上波デジタル放送を選局する際には、前記３桁入力ボタンを押下した後、前記第１の数字ボタン群または前記第２の数字ボタン群を用いて選局を行い、前記地上波アナログ放送を選局する際には、前記３桁入力ボタンを押下することなく、前記第１の数字ボタン群または前記第２の数字ボタン群のいずれかを用いて選局を行うようにしたことを特徴とするデジタル放送受信装置。
【請求項３】
請求項２記載において、
現在視聴しているチャンネルが属する放送種別を示す放送ネットワーク情報を格納するネットワーク情報格納手段を具備し、
前記３桁入力ボタンを押下することにより表示される放送種別名として、前記ネットワーク情報格納手段に格納されている現在視聴しているチャンネルが属する放送種別を示すことを特徴とするデジタル放送受信装置。
【請求項４】
請求項３記載において、
前記３桁入力ボタンの押下後に、現在視聴しているチャンネルが属する放送種別中のチャンネルを選局するため数字ボタン群と異なる数字ボタン群が操作された際に、この操作された数字ボタン群で選局される放送種別を示すように、前記した表示が切り換ることを特徴とするデジタル放送受信装置。
【請求項５】
少なくとも衛星デジタル放送と地上波デジタル放送とが受信可能であり、リモコンによる操作が可能なデジタル放送受信装置における選局方法であって、
前記リモコンには、前記衛星デジタル放送を選局するための第１の数字ボタン群と、前記地上波デジタル放送を選局するための第２の数字ボタン群とを設けて、前記第１の数字ボタン群によって３桁のチャンネル番号が入力された場合と、前記第２の数字ボタン群によって３桁のチャンネル番号が入力された場合とに応じて、選局操作の対象となる放送種別を、前記衛星デジタル放送または前記地上波デジタル放送のいずれかに自動的に変更する制御を行うようにした、
ことを特徴とするデジタル放送選局方法。
【発明の詳細な説明】
【０００１】
【発明の属する技術分野】
本発明は、地上波デジタル放送と衛星デジタル放送とが受信可能なデジタル放送受信装置およびデジタル放送選局方法に関する。
【０００２】
【従来の技術】
デジタルテレビ放送の番組と地上波テレビ放送の番組の間で、番組を切り換える場合に、モード切り換えキーを操作する必要がないようにした技術に関して、入力された３桁の数字のチェックを行ない、入力された３桁の数字が１００以上である場合には、デジタルＣＳチューナで選局し、入力された３桁の数字が１００より小さいときには、地上波チューナで選局するようにしたものが、知られている（特許文献１参照）。
【０００３】
【特許文献１】
特開平１１−１６４２１４号公報
【０００４】
【発明が解決しようとする課題】
しかしながら、上述の特許文献１に記載された技術のように、入力された数値の大きさにより、選局するチューナを切り換える装置では、異なるネットワーク（放送種別）で同一のサービスＩＤ（チャンネル番号）が存在する場合には、すなわち例えば、ＣＳデジタル放送と地上波デジタル放送とで同一のサービスＩＤが存在する場合には、自動での切り換えを行なうことはできない。
【０００５】
本発明は、そのような状況に鑑みてなされたもので、衛星デジタル放送か地上波デジタル放送かの切り換え操作をユーザが行うことなく、受信装置が自動的に、衛星デジタル放送か地上波デジタル放送かを、切り換えることを可能にするものである。
【０００６】
【課題を解決するための手段】
本願による代表的な１つの発明では、少なくとも衛星デジタル放送と地上波デジタル放送とが受信可能であり、リモコンによる操作が可能なデジタル放送受信装置において、
リモコンには、衛星デジタル放送を選局するための第１の数字ボタン群と、地上波デジタル放送を選局するための第２の数字ボタン群とが設けられ、
第１の数字ボタン群によって３桁のチャンネル番号が入力された場合と、第２の数字ボタン群によって３桁のチャンネル番号が入力された場合とに応じて、選局操作の対象となる放送種別（放送のネットワーク）を、衛星デジタル放送または地上波デジタル放送のいずれかに自動的に変更する制御を行う入力処理部を、具備する。
【０００７】
【発明の実施の形態】
以下、本発明の実施の形態を、図面を用いて説明する。
【０００８】
図１は、本発明の一実施形態に係るデジタル放送受信装置の構成を示すブロック図であり、本実施形態のデジタル放送受信装置は、衛星デジタル放送と地上波デジタル放送と地上波アナログ放送とが受信可能な受信装置である。なお、本実施形態のデジタル放送受信装置で受信可能な衛星デジタル放送は、ここではＢＳデジタル放送であるとするが、ＣＳデジタル放送であってもよい。
【０００９】
図１において、１０１はチューナ処理部、１０２は選局処理部、１０３は映像音声出力部、１０４はシステム制御部、１０５は３桁入力処理部、１０６は入力部、１０７はリモコン、１０８はチャンネル情報格納手段、１０９はネットワーク情報格納手段であり、本実施形態のデジタル放送受信装置は、これらの構成要素１０１〜１０９を含んで構成されている。
【００１０】
３桁入力処理部１０５は、後述するようにデジタル放送の選局の際に、リモコン１０７の２つの数値ボタン群のいずれかから、入力部１０６を介してシステム制御部１０４に入力された情報に基づき、選局操作の対象となる放送種別（放送のネットワーク）を、衛星デジタル放送または地上波デジタル放送のいずれかに自動的に変更する制御を行う（なお、３桁入力処理部１０５はシステム制御部１０４に含まれるものであってもよい）。また、チャンネル情報格納手段１０８は、リモコン１０７によって選局された現在視聴しているチャンネルの情報を書き替え可能に格納し、ネットワーク情報格納手段１０９は、リモコン１０７の操作によって選択された、現在視聴しているチャンネルが属する放送種別を示す放送ネットワーク情報を書き替え可能に格納する。
【００１１】
ここで、本実施形態の処理動作の説明に先立ち、まず、図４の処理フローと図５のリモコンの構成図とを用いて、従来技術の処理動作を説明する。なお、従来の受信装置は、例えば、図１の構成から３桁入力処理部１０５が排され、衛星デジタル放送と地上波アナログ放送とが受信可能な構成であること、並びにリモコン１０７の機能が一部異なることを除き、図１の受信装置と同様なものであると理解されたい。
【００１２】
デジタル放送受信装置では、ユーザがリモコン１０７を用いて操作すると、入力部１０６が、リモコン１０７からの信号を受け、システム制御部１０４に処理の指示を伝える。システム制御部１０４は、ユーザからの指示に従い、選局処理部１０２へ、選局動作の指示を送る。それを受けた選局処理部１０２は、チューナ処理部１０１を制御し、ユーザが希望する放送を選局し、その結果、選局した放送の番組が映像音声出力部１０３からテレビ画面へ映し出され、また音声が併せて出力される。
【００１３】
デジタル放送受信装置の選局操作手法としては、例えば、３桁のチャンネル番号（サービスＩＤ）を数字ボタンで入力して、希望のチャンネルを選局する操作手法がある。また、従来からの地上波アナログ受信部が一体となったデジタル放送受信機器も存在し、その場合には、図５に示すように、リモコン１０７に、地上波アナログ放送選局用の数字ボタン（選局ボタン）１０７ａ’と衛星デジタル放送選局用の数字ボタン（選局ボタン）１０７ｂの、双方が装備されている受信装置が知られている。この図５に示すようなリモコン１０７を用いて、衛星デジタル放送を選局する場合には、まず、３桁入力ボタン１０７ｃを押した後、デジタル放送用の数字ボタン１０７ｂを押して、サービスＩＤを入力する。
【００１４】
つまり、図４に示すように、従来の受信装置では、ユーザがリモコン１０７の３桁入力ボタン１０７ｃを押した場合（図４のＳ４０１）、まず、画面上に、３桁入力のボックスが表示される（Ｓ４０２）。そこで、ユーザは、リモコン１０７の衛星デジタル放送選局用の数字ボタン１０７ｂを押して、視聴したいサービスＩＤを入力する（Ｓ４０３）。サービスＩＤ３桁が入力されたら、そのサービスを選局し（Ｓ４０４）、３桁入力の操作が終了する（Ｓ４０５）。
【００１５】
ところで、地上波デジタル放送が開始されると、デジタル放送受信部が地上波デジタル放送の受信にも対応し、従来と同様な装置で、地上波アナログ放送と、衛星デジタル放送と、地上波デジタル放送とが受信可能になることが想定される。この場合には、地上波デジタル放送選局用の数字キー群と、衛星デジタル放送選局用の数字キー群とが、リモコン上に装備されることも想定される。
【００１６】
ところが、上述したような従来技術の処理手法では、図４に示したように、現在視聴している放送（ネットワーク）のサービスＩＤを入力して選局するので、放送（ネットワーク）等を切り換えるには、３桁数字の入力の前に、あらかじめ放送（ネットワーク）切り換える操作を行う必要があり、ユーザにとって操作が煩雑になる。
【００１７】
次に、本実施形態の処理動作を、図２の処理フローと図３のリモコンの構成図とを用いて説明する。
【００１８】
図３に示すように、本実施形態のリモコン１０７には、地上波デジタル放送の選局操作と地上波アナログ放送の選局操作とを行うための地上波デジタル放送選局用兼地上波アナログ放送選局用の数字ボタン（数字ボタン群）１０７ａ（以下、地上波選局用の数字ボタン１０７ａと記す）と、衛星デジタル放送を選局するための衛星デジタル放送選局用の数字ボタン（数字ボタン群）１０７ｂと、３桁入力ボタン１０７ｃとが、備えられている。そして、３桁入力ボタン１０７ｃを押さずに地上波選局用の数字ボタン１０７ａで選局操作（入力操作）を行うと、地上波アナログ放送の選局が行われ、３桁入力ボタン１０７ｃを押した後に地上波選局用の数字ボタン１０７ａで選局操作を行うと、地上波デジタル放送の選局が行われるようになっている。
【００１９】
本実施形態では、ユーザがリモコン１０７の３桁入力ボタン１０７ｃを押した場合（図２のＳ２０１）、まず、従来同様、画面上に、３桁入力のボックスが表示される（Ｓ２０２）。そこで、ユーザは、リモコンの数字ボタン１０７ａまたは１０７ｂを押して、視聴したいサービスＩＤを入力する（Ｓ２０３）。サービスＩＤ３桁が入力されたら、ここで、リモコン１０７上の、衛星用／地上用どちらの数字ボタン（数字ボタン群）で入力されたかを、３桁入力処理部１０５が判断する（Ｓ２０４）。その結果により、衛星デジタル放送選局用の数字ボタン１０７ｂでサービスＩＤ３桁が入力された場合は、視聴する放送を衛星デジタル放送に切り換え、入力されたサービスＩＤを選局する（Ｓ２０５）。地上波選局用の数字ボタン１０７ａでサービスＩＤ３桁が入力された場合は、視聴する放送を地上波デジタル放送に切り換え、入力されたサービスＩＤを選局する（Ｓ２０６）。
【００２０】
以上のように本実施形態では、リモコン１０７で３桁入力のサービスＩＤが入力された際に、衛星用か、地上用か、どちらの数字ボタン（数字ボタン群）で入力されたかを判断することにより、図２に示す処理フローのように、３桁入力での選局と同時に、衛星デジタル放送と、地上波デジタル放送の、視聴する放送を自動的に切り換えることが可能となる。
【００２１】
ここで、リモコン１０７の３桁入力ボタン１０７ｃが押された場合、３桁入力のボックスを画面に表示するが、従来技術では、図５に示すように、「ＢＳ・・・」などと、現在視聴している放送の種別（ネットワーク）と、３桁のサービスＩＤの入力表示欄とを含む、３桁入力のボックスを表示するように、つまり、これから視聴する放送の種別を示すように、３桁入力のボックスで「ＢＳ」などと表示するようにしていた。これに対し、本実施形態では、リモコン１０７の３桁入力ボタン１０７ｃが押された場合には、図３に示すように、「  ・・・」のような３桁入力のボックスを表示し、図２のＳ２０４で、どちらの数字ボタンー群で入力されたかを判断後に、「地上１０３」や「ＢＳ１０３」のように、押された数字ボタン群によって表示を変えることが可能である。
【００２２】
また、本実施形態の受信装置では、チャンネル情報格納手段１０８とネットワーク情報格納手段１０９により、現在視聴しているチャンネルとその放送種別が記憶されているため、リモコン１０７の３桁入力ボタン１０７ｃが押された時点では、「地上・・・」や「ＢＳ・・・」のように、現在視聴中の放送種別を示す３桁入力ボックスを画面表示し、その後、入力された数字ボタン群を判断して、「ＢＳ１０３」や「地上１０３」のように、ユーザが選局操作した放送の種別とサービスＩＤを示すように表示を変えることが可能である。
【００２３】
なお、上述した実施形態では、地上波選局用の数字ボタン１０７ａを、地上波デジタル放送の選局用と地上波アナログ放送の選局用とに兼用したが、地上波選局用の数字ボタン１０７ａを地上波デジタル放送の選局専用にして、衛星デジタル放送選局用の数字ボタン１０７ｂを、衛星デジタル放送の選局用と地上波アナログ放送の選局用とに兼用するようにしてもよい。
【００２４】
なおまた、上述した実施形態では、衛星デジタル放送と地上波デジタル放送と地上波アナログ放送とが受信可能な受信装置であるとしたが、衛星デジタル放送と地上波デジタル放送とが受信可能な受信装置である場合には、リモコン１０７は、地上波デジタル放送選局専用の数字ボタン群と衛星デジタル放送選局専用の数字ボタン群とを設けた構成とすればよい。
【００２５】
【発明の効果】
以上のように本発明によれば、衛星デジタル放送、および、地上波デジタル放送の受信に対応したデジタル放送受信装置において、３桁入力ボタンを押し、その後、数字ボタンで３桁のサービスＩＤを入力して希望するチャンネルを選局する際に、あらかじめ、衛星デジタル放送と地上波デジタル放送を切り換えておく必要がなく、使用した数字ボタン群により、自動的に衛星デジタル放送と地上波デジタル放送を切り換えて選局することが可能となる。
従来技術の特開平１１−１６４２１４号公報のように、３桁の数字の大きさによるチェックでは、例えば、地上波デジタル放送と衛星デジタル放送で同一のサービスＩＤが存在する場合には、いずれの放送であるかを判断することができないが、本発明では、ユーザが使用したリモコン上の数字ボタン群により、自動的に判定を行なうことができる。
【図面の簡単な説明】
【図１】本発明の一実施形態に係るデジタル放送受信装置の構成を示すブロック図である。
【図２】本発明の一実施形態に係るデジタル放送受信装置における、デジタル放送の選局処理フローを示すフローチャートである。
【図３】本発明の一実施形態に係るデジタル放送受信装置で用いるリモコンなどを示す説明図である。
【図４】従来の受信装置におけるデジタル放送の選局処理フローを示すフローチャートである。
【図５】従来の受信装置で用いるリモコンなどを示す説明図である。
【符号の説明】
１０１  チューナ処理部
１０２  選局処理部
１０３  映像音声出力部
１０４  システム制御部
１０５  ３桁入力処理部
１０６  入力部
１０７  リモコン
１０７ａ  地上波デジタル放送選局用兼地上波アナログ放送選局用の数字ボタン（地上波選局用の数字ボタン）
１０７ｂ  衛星デジタル放送選局用の数字ボタン
１０７ｃ  ３桁入力ボタン
１０８  チャンネル情報格納手段
１０９  ネットワーク情報格納手段
【図１】
2004194231.tif 000003
【図２】
2004194231.tif 000004
【図３】
2004194231.tif 000005
【図４】
2004194231.tif 000006
【図５】
2004194231.tif 000007